(57)【特許請求の範囲】
【請求項１】
事業者リストがワイヤレス事業者によって更新可能であるように、アクセス端末において前記事業者リストを維持することと、
ユーザリストが前記アクセス端末によって更新可能であるように、前記アクセス端末において前記ユーザリストを維持することと、
前記事業者リストおよび前記ユーザリストのうちの第１のリストから限定加入者グループ識別子を削除することと、
前記第１のリストからの前記削除に基づいて、前記事業者リストおよび前記ユーザリストのうちの第２のリストから前記限定加入者グループ識別子を削除することと
を備える、通信の方法。
【請求項２】
限定加入者グループに関連付けられたセルの試みられたアクセスに応答して拒否コードを受信したことの結果として、前記第１のリストのプロビジョニングの結果として、限定加入者グループリストサーバから受信されたメッセージに応答して、または、前記第２のリストから前記限定加入者グループ識別子のエントリを消去することによって、前記限定加入者グループ識別子が前記第１のリストから削除される、請求項１に記載の方法。
【請求項３】
前記限定加入者グループ識別子が前記第１のリストから削除されたことの結果として、前記第２のリストのプロビジョニングが要求され、
前記第２のリストの前記プロビジョニングの結果として、前記限定加入者グループ識別子が前記第２のリストから削除される
請求項１に記載の方法。
【請求項４】
前記第１のリストおよび前記第２のリストはそれぞれ、前記アクセス端末がアクセスすることを許可される少なくとも１つの限定加入者グループを識別する、請求項１に記載の方法。
【請求項５】
前記ユーザリストを前記維持することが、前記アクセス端末による手動更新を含む、請求項１に記載の方法。
【請求項６】
前記ユーザリストが、前記ワイヤレス事業者によって更新可能であるようにさらに維持される、および／または、前記事業者リストが、前記アクセス端末によって更新可能であるようにさらに維持される、請求項１に記載の方法。
【請求項７】
限定加入者グループに関連付けられたセルにアクセスすべきかどうかを判定するために、前記事業者リストと前記ユーザリストとからなるグループのうちの少なくとも１つを使用することをさらに備える、請求項１に記載の方法。
【請求項８】
前記事業者リストが、前記アクセス端末のホームパブリックランドモバイルネットワークについての限定加入者グループ情報を備え、
前記ユーザリストが、前記アクセス端末の訪問先パブリックランドモバイルネットワークについての限定加入者グループ情報を備える
請求項１に記載の方法。
【請求項９】
前記アクセス端末による前記ユーザリストの更新が、ユーザ入力デバイスから受信された指示に基づいて前記ユーザリストを更新することを備える、請求項１に記載の方法。
【請求項１０】
第１のリストがワイヤレス事業者によって更新可能であるように、アクセス端末において前記第１のリストを維持することと、
第２のリストが前記アクセス端末によって更新可能であるように、前記アクセス端末において前記第２のリストを維持することと、
限定加入者グループ識別子を前記第１のリストに追加することと、
前記第１のリストへの前記追加に基づいて、前記第２のリストから前記限定加入者グループ識別子を削除することと
を備える、通信の方法。
【請求項１１】
前記第１のリストのプロビジョニングの結果として、限定加入者グループリストサーバから受信されたメッセージに応答して、または、前記第２のリストから前記限定加入者グループ識別子のエントリを消去することによって、前記限定加入者グループ識別子が前記第１のリストに追加される、請求項１０に記載の方法。
【請求項１２】
前記限定加入者グループ識別子が前記第１のリストに追加されたことの結果として、前記第２のリストのプロビジョニングが要求され、
前記第２のリストの前記プロビジョニングの結果として、前記限定加入者グループ識別子が前記第２のリストから削除される
請求項１０に記載の方法。
【請求項１３】
前記第１のリストおよび前記第２のリストはそれぞれ、前記アクセス端末がアクセスすることを許可される少なくとも１つの限定加入者グループを識別する、請求項１０に記載の方法。
【請求項１４】
前記第２のリストを前記維持することが、前記アクセス端末による手動更新を含む、請求項１０に記載の方法。
【請求項１５】
前記第２のリストが、前記ワイヤレス事業者によって更新可能であるようにさらに維持される、および／または、前記第１のリストが、前記アクセス端末によって更新可能であるようにさらに維持される、請求項１０に記載の方法。
【請求項１６】
限定加入者グループに関連付けられたセルにアクセスすべきかどうかを判定するために、前記第１のリストと前記第２のリストとからなるグループのうちの少なくとも１つを使用することをさらに備える、請求項１０に記載の方法。
【請求項１７】
前記事業者リストが、前記アクセス端末のホームパブリックランドモバイルネットワークについての限定加入者グループ情報を備え、
前記ユーザリストが、前記アクセス端末の訪問先パブリックランドモバイルネットワークについての限定加入者グループ情報を備える
請求項１０に記載の方法。
【請求項１８】
前記アクセス端末による前記ユーザリストの更新が、ユーザ入力デバイスから受信された指示に基づいて前記ユーザリストを更新することを備える、請求項１０に記載の方法。
【請求項１９】
請求項１乃至１８のいずれか１つに記載の方法を実行する手段を備える、通信装置。
【請求項２０】
コンピュータに請求項１乃至１８のいずれか１つに記載の方法を実行させるコードを備えるコンピュータ可読媒体
を備える、コンピュータプログラム製品。
【発明の詳細な説明】
【技術分野】
【０００１】
優先権の主張
本出願は、各々の開示が参照により本明細書に組み込まれる、２００８年１２月２３日に出願され、代理人整理番号第０９０２７５Ｐ３号を付与された、同一出願人が所有する米国特許仮出願第６１／０１４０，５８８号、および２００９年１月２６日に出願され、代理人整理番号０９０２７５Ｐ４号を付与された、米国特許仮出願第６１／１４７，４１５号の利益および優先権を主張する。
【０００２】
本出願は、一般にワイヤレス通信に関し、より詳細には、限定はしないが、アクセス制御に関する。
【背景技術】
【０００３】
序論
ワイヤレス通信システムは、様々なタイプの通信（たとえば、音声、データ、マルチメディアサービスなど）を複数のユーザに提供するために広く展開されている。高速なマルチメディアデータサービスの需要が急速に増大するにつれて、向上したパフォーマンスをもつ効率的でロバストな通信システムを実装することが課題となっている。
【０００４】
従来のモバイル電話ネットワークアクセスポイントを補うために、小カバレージアクセスポイントを展開（たとえば、ユーザの家庭に設置）して、よりロバストな屋内ワイヤレスカバレージをモバイルアクセス端末に与えることができ得る。そのような小カバレージアクセスポイントは、フェムトアクセスポイント、アクセスポイント基地局、ホームｅＮｏｄｅＢ（ＨｅＮＢ）、ホームノードＢ（ＨＮＢ）、またはホームフェムトと呼ばれることがある。一般に、そのような小カバレージアクセスポイントは、ＤＳＬルータまたはケーブルモデムを介してインターネットおよびモバイル事業者（operator）のネットワークに接続される。いくつかのシナリオでは、ネットワーク中のこれらの小カバレージアクセスポイントまたは他のアクセスポイントの一部は、何らかの方法でアクセスを制限されることがある。たとえば、ネットワーク中の異なるアクセスポイントは、異なる限定加入者グループ（ＣＳＧ）に属することができ得る。
【０００５】
いくつかの状況では、アクセス端末が、制限付きアクセスポイントを採用するネットワーク内で移動するか、または制限付きアクセスポイントを採用するネットワーク間で移動するとき、アクセスの問題が生じることがある。たとえば、アクセス端末は、これらの制限付きアクセスポイントの一部にはアクセスすることを許可され、他のアクセスポイントにはアクセスすることを許可されない必要があることがある。したがって、ワイヤレスネットワークのためのアクセス管理の改善が必要である。
【発明の概要】
【０００６】
本開示の例示的な態様の概要について以下で説明する。本明細書の説明では、態様という用語への言及は、本開示の１つまたは複数の態様を指すことがある。
【０００７】
本開示は、いくつかの態様では、ワイヤレス通信のためのアクセス制御に関する。たとえば、アクセス端末が、限定加入者グループ（ＣＳＧ）に関連付けられたアクセスポイントにおいて通信を確立することを許可されるかどうかを判定するために使用される情報を維持するための技法について説明する。
【０００８】
本開示は、いくつかの態様では、ローカルサーバにおいて訪問（visiting）アクセス端末についてのＣＳＧ加入情報を維持することに関する。たとえば、第１のネットワークに加入しているアクセス端末が第２のネットワーク中のアクセスポイントにおいて通信を確立することを要求したとき、第２のネットワークは、アクセス端末がアクセスポイントにおいて通信を確立することを許可すべきかどうかを判定するために、そのアクセス端末についてのローカルに記憶されたＣＳＧ加入情報を使用する。
【０００９】
本開示は、いくつかの態様では、アクセス端末において複数のＣＳＧリストを維持することに関する。たとえば、アクセス端末は、事業者によって更新可能である第１のリストと、ユーザによって更新可能である第２のリストとを維持することができ得る。ここで、一方のリストの更新は、他方のリスト中の変更に基づくことができ得る。たとえば、一方のリスト中のＣＳＧエントリが削除された場合、他方のリスト中の対応するＣＳＧエントリが削除され得る。また、一方のリストにＣＳＧエントリが追加された場合、他方のリスト中の対応するＣＳＧエントリが削除され得る。
【００１０】
本開示のこれらおよび他の例示的な態様について、以下の発明を実施するための形態および添付の特許請求の範囲、ならびに添付の図面において説明する。
【図面の簡単な説明】
【００１１】
【図１】アクセス制御のためのＣＳＧ情報を維持するように適応された通信システムのいくつかの例示的な態様の簡略ブロック図。
【図２】アクセス制御のためのローカルＣＳＧ加入情報を維持し、使用するために実行され得る動作のいくつかの例示的な態様のフローチャート。
【図３】ローカルＣＳＧ加入情報を維持するように適応されたＬＴＥシステムのいくつかの例示的な態様の簡略ブロック図。
【図４】アクセス端末において事業者ＣＳＧリストとユーザＣＳＧリストとを維持することに関連して実行され得る動作のいくつかの例示的な態様のフローチャート。
【図５】アクセス端末において事業者ＣＳＧリストとユーザＣＳＧリストとを維持することに関連して実行され得る動作のいくつかの例示的な態様のフローチャート。
【図６】通信ノードにおいて採用され得る構成要素のいくつかの例示的な態様の簡略ブロック図。
【図７】ワイヤレス通信システムの簡略図。
【図８】フェムトノードを含むワイヤレス通信システムの簡略図。
【図９】ワイヤレス通信のためのカバレージエリアを示す簡略図。
【図１０】通信構成要素のいくつかの例示的な態様の簡略ブロック図。
【図１１】本明細書で教示する、アクセス制御のためのＣＳＧ情報を維持するように構成された装置のいくつかの例示的な態様の簡略ブロック図。
【図１２】本明細書で教示する、アクセス制御のためのＣＳＧ情報を維持するように構成された装置のいくつかの例示的な態様の簡略ブロック図。
【図１３】本明細書で教示する、アクセス制御のためのＣＳＧ情報を維持するように構成された装置のいくつかの例示的な態様の簡略ブロック図。
【発明を実施するための形態】
【００１２】
慣例により、図面中に示された様々な特徴は一定の縮尺で描かれていないことがある。したがって、様々な特徴の寸法は、わかりやすいように任意に拡大または縮小されることがある。さらに、図面のいくつかは、わかりやすいように簡略化されることがある。したがって、図面は、所与の装置（たとえば、デバイス）または方法の構成要素のすべてを示しているわけではない。最後に、明細書および図の全体にわたって同じ特徴を示すために同じ参照番号が使用されることがある。
【００１３】
本開示の様々な態様について以下で説明する。本明細書の教示は多種多様な形態で実施でき得、本明細書で開示されている特定の構造、機能、またはその両方は代表的なものにすぎないことは明らかであろう。本明細書の教示に基づいて、本明細書で開示する態様は他の態様とは無関係に実装でき得ること、およびこれらの態様のうちの２つ以上を様々な方法で組み合わせることができ得ることを、当業者なら諒解されたい。たとえば、本明細書に記載の態様をいくつ使用しても、装置を実装し、または方法を実施することができ得る。さらに、本明細書に記載の態様のうちの１つまたは複数に加えて、あるいはそれら以外の他の構造、機能、または構造および機能を使用して、そのような装置を実装し、またはそのような方法を実施することができ得る。さらに、態様は、請求項の少なくとも１つの要素を備えることができ得る。
【００１４】
図１に、例示的な通信システム１００のいくつかのノードを示す。説明のために、本開示の様々な態様について、互いに通信する１つまたは複数のアクセス端末、アクセスポイント、およびネットワークノードの文脈で説明する。ただし、本明細書の教示は、他のタイプの装置、または他の用語を使用して参照される他の同様の装置に適用可能であり得ることを諒解されたい。たとえば、様々な実装形態では、アクセスポイントを基地局またはｅノードＢと呼ぶこと、あるいは基地局またはｅノードＢとして実装することができ得、アクセス端末をユーザ機器またはモバイルなどと呼ぶこと、あるいはユーザ機器または移動局などとして実装することができ得る。
【００１５】
システム１００中のアクセスポイントは、１つまたは複数のサービス（たとえば、ネットワーク接続性）を、システム１００のカバレージエリア内に設置され得るか、またはシステム１００のカバレージエリア全体にわたってローミングし得る１つまたは複数のワイヤレス端末（たとえば、アクセス端末１０２）に提供する。たとえば、様々な時点で、アクセス端末１０２は、アクセスポイント１０４、またはシステム１００中の何らかの他のアクセスポイント（図示せず）に接続することができ得る。これらのアクセスポイントの各々は、ワイドエリアネットワーク接続性を可能にするために、（便宜上、（１つまたは複数の）ネットワークノード１０６および１０８によって表される）１つまたは複数のネットワークノードと通信することができ得る。これらのネットワークノードは、たとえば、１つまたは複数の無線および／またはコアネットワークエンティティなどの様々な形態をとることができ得る。したがって、様々な実装形態では、ネットワークノードは、（たとえば、運用、アドミニストレーション、管理、およびプロビジョニング（provisioning）エンティティによる）ネットワーク管理、呼制御、モビリティ管理、ゲートウェイ機能、インターワーキング機能のうちの少なくとも１つなどの機能、または何らかの他の好適なネットワーク機能を表すことができ得る。
【００１６】
場合によっては、アクセス端末は、ワイヤレスセルセットに関連付けられた制限付きアクセスポイントにアクセスすることができ得る。一般に、ワイヤレスセルセットは、そのセットに固有の定義された関係がある、１つまたは複数のセル（たとえば、少なくとも１つのアクセスポイント）のセットを備える。ワイヤレスセルセットの一例は限定加入者グループ（ＣＳＧ）である。便宜のために、以下の説明では、ワイヤレスセルセットというより一般的な用語ではなく、単にＣＳＧという用語に言及することがある。ただし、説明する概念が、ワイヤレスセルまたは他の同様のエンティティの他のタイプの定義されたセットまたはグループに適用可能であり得ることを諒解されたい。
【００１７】
アクセス端末がネットワーク全体にわたってローミングする際、アクセス端末は、アクセス端末がアクセスすることを許可されるアクセスポイントを識別するために、何らかの形態のリスト（たとえば、いわゆる許可リストまたはホワイトリスト）を使用することができ得る。従来、このリストはネットワークによって維持される（たとえば、ネットワークは、リストを更新するためにアクセス端末にメッセージを送信する）。しかしながら、いくつかの条件下では、そのようなリストが完全に正確な（たとえば、現在の）情報を有していないことがある。特に、アクセス端末がＣＳＧに追加されるとき、そのアクセス端末がネットワークによってプロビジョニングされる前にある程度の遅延があり得る。たとえば、ネットワークがＣＳＧを追加するとき、ネットワークが１日に１回のみアクセス端末をプロビジョニングすることを選択し得るか、または、アクセス端末が一時的にネットワークカバレージの外にあり得る。また、アクセス端末は、場合によってはアクセスポイントを手動で選択し得るので、ネットワークは、アクセス端末が現在アクセスを許可されているアクセスポイントのすべてを常に認識しているとは限らない。
【００１８】
本明細書の教示によれば、すべての許可されたアクセスポイントに関する現在の情報をアクセス端末に与えるために、アクセス端末は２つ以上のリストを維持することができ得る。たとえば、あるリストは事業者によって更新可能であり、別のリストは（たとえば、手動更新手順の結果として）アクセス端末によって更新可能であり得る。
【００１９】
図１の例では、アクセス端末１０２は２つの許可ＣＳＧリストを維持する。これらのリストの各々は、アクセス端末がアクセスすることを許可されるＣＳＧを識別するエントリを含むことができ得る。
【００２０】
事業者許可ＣＳＧリスト１１０は事業者によって更新可能である。たとえば、アクセス端末１０２がどのＣＳＧにアクセスすることを許可されるかに関する情報をネットワークが取得すると、ＣＳＧリストサーバ１１２は、事業者許可ＣＳＧリスト１１０を更新するようにアクセス端末１０２（たとえば、ＣＳＧリストマネージャ１１４）に命令するメッセージをアクセス端末１０２に送信することができ得る。
【００２１】
ユーザ許可ＣＳＧリスト１１６はユーザによって更新可能である。たとえば、アクセス端末１０２が手動セル選択または何らかの他の同様の手順を実行すると、アクセス端末が、事業者許可ＣＳＧリスト１１０中に現在存在しないＣＳＧ識別子に関連付けられたセルへのアクセスを許可される場合、アクセス端末１０２（たとえば、ＣＳＧリストマネージャ１１４）はユーザ許可ＣＳＧリスト１１６を更新することができ得る。
【００２２】
次いで、アクセス端末は、アクセス端末がホームネットワーク中にある間、またはローミングする間に遭遇するＣＳＧにアクセスすることを許可されるかどうかを判定するために、両方のリストを使用することができ得る。その上、図４および図５に関連して以下でより詳細に説明するように、アクセス端末１０２は、いくつかの状況では、１つの許可ＣＳＧリストへの更新が自動的に他の許可ＣＳＧリストへの更新を生じるように、許可ＣＳＧリストを維持することができ得る。いくつかの実装形態では、様々なリストが様々なタイプの情報を記憶することができ得る。たとえば、事業者許可ＣＳＧリストは、ホームネットワーク（たとえば、ホームパブリックランドモバイルネットワーク、ＰＬＭＮ）についてのＣＳＧ情報を記憶するために使用され得、ユーザ許可ＣＳＧリストは、１つまたは複数の訪問先ネットワーク（たとえば、訪問先ＰＬＭＮ）についてのＣＳＧ情報を記憶するために使用され得る。
【００２３】
図１に、システム１００が２つ以上のネットワーク（たとえば、異なるＰＬＭＮ）を備えることができ得ることを簡略化した形で示す。図１の例では、アクセスポイント１０４および（１つまたは複数の）ネットワークノード１０６はネットワークＡに属し、（１つまたは複数の）ネットワークノード１０８はネットワークＢに属する。
【００２４】
場合によっては、ネットワークＢに加入しているアクセス端末（たとえば、アクセス端末１０２）は、ネットワークＡ中のＣＳＧにおいて接続を確立することを試みることができ得る。たとえば、加入者は、いわゆるホットスポットにおいて（たとえば、空港、ショッピングモール、コーヒーハウスにおいて）サービスにアクセスすること、またはそれにハンドオーバすることを望むことがある。しかしながら、ホットスポットは、加入者の事業者とは異なる事業者によって制御され得る。そのような場合、ネットワークＡは、アクセス端末がこのＣＳＧにおいて通信を確立することを許可されるかどうかを判定するために、アクセス端末１０２についてのＣＳＧ加入情報を取得する必要がある。ここで、ＣＳＧ加入情報は、アクセス端末１０２がアクセスを許可される１つまたは複数のＣＳＧを識別する。しかしながら、ネットワークＡは、この情報を取得するためにネットワークＢにおいてサーバにアクセスすることが可能でないことがある。たとえば、セキュリティ問題または他の問題により、ネットワークＢは、ネットワークＡが、ネットワークＢのＣＳＧ情報を維持するネットワークＢにおいてサーバと通信することを許可しないことがある。代替的に、ネットワークＢはＣＳＧをサポートさえしないことがある。
【００２５】
本明細書の教示によれば、ネットワーク間ローミングのためのアクセス制御を可能にするために、訪問アクセス端末についてのＣＳＧ加入情報を維持するためのＣＳＧ加入者サーバ１１８が各ネットワークに設けられる。したがって、アクセス端末１０２が、ＣＳＧのメンバーであるアクセスポイント（たとえば、アクセスポイント１０４）において通信を確立することを要求したとき、ネットワークＡにあるモビリティマネージャ１２０は、ネットワークＡにおいてＣＳＧ加入者サーバ１１８からアクセス端末１０２についてのＣＳＧ加入情報を取得することができ得、ネットワークＢにおいてホーム加入者サーバ１２２からアクセス端末１０２についてのサービスコンテキスト情報を取得することができ得る。次いで、モビリティマネージャ１２０は、アクセス端末１０２についてのＣＳＧ加入情報が、アクセス端末１０２がアクセスポイント１０４のＣＳＧにアクセスすることを許可されることを示すかどうかに基づいて、アクセス端末１０２がアクセスポイント１０４において通信を確立することを許可すべきかどうかを判定することができ得る。
【００２６】
上記を念頭において、本明細書の教示による、ＣＳＧ情報を維持するために採用され得る例示的な動作および構成要素について、図２〜図５を参照しながら説明する。手短に言えば、図２および図３は、ネットワークにおいてＣＳＧ加入者サーバを維持することに関し、図４および図５は、アクセス端末において事業者許可ＣＳＧリストとユーザ許可ＣＳＧリストとを維持することに関する。
【００２７】
説明のために、図２、図４、および図５の動作（あるいは本明細書で説明または教示する他の動作）については、特定の構成要素（たとえば、図１および図６に示す構成要素）によって実行されるものとして説明することがある。ただし、これらの動作は、他のタイプの構成要素によって実行でき得、異なる個数の構成要素を使用して実行でき得ることを諒解されたい。また、本明細書で説明する動作の１つまたは複数は、所与の実装形態では採用されない場合があることを諒解されたい。
【００２８】
最初に図２および図３を参照すると、図２には、図３に示すシステム３００などのシステムによって実行され得る例示的な動作が記載されている。説明のために、図２および図３の例では、ＬＴＥに基づく実装形態について説明する。したがって、図３は、ユーザ機器（ＵＥ）３０２、ｅノードＢ（ｅＮＢ）３０４（たとえば、ホームｅＮＢ）、モビリティ管理エンティティ（ＭＭＥ）３０６、サービングゲートウェイ（ＳＧＷ）３０８、ＰＤＮゲートウェイ（ＰＧＷ）３１０、パケットデータネットワーク（ＰＤＮ）３１２、ホーム加入者サーバ（ＨＳＳ）３１４、ＣＳＧリストサーバ３１６、およびＣＳＧ管理サーバ３１８などのエンティティを示す。ただし、本明細書で教示する概念は他の実装形態（たとえば、ＵＭＴＳベースのシステムなど）に適用可能であり得ることを諒解されたい。
【００２９】
図２のブロック２０２によって表されるように、ある時点において、アクセス端末（たとえば、ＵＥ３０２）がアクセスポイント（たとえば、ｅＮＢ３０４）において通信を確立することを要求する。たとえば、ＵＥは、ｅＮＢにアクセスすることを要求するか、またはｅＮＢへのハンドオーバを要求し得る。
【００３０】
この例では、ｅＮＢはＣＳＧに関連付けられる。その上、ノード３０４〜３２０は第１のネットワーク（ネットワークＡ）中にあり、ＵＥは第２のネットワーク（ネットワークＢ）に加入している。したがって、ＵＥの観点から、第２のネットワークはホームＰＬＭＮであり得、第１のネットワークは訪問先ＰＬＭＮであり得る。
【００３１】
したがって、ブロック２０４によって表されるように、ＵＥが通信を確立することを要求したとき、第１のネットワークのネットワークノード（たとえば、ＭＭＥ３０６）は、ＵＥが異なるネットワークに加入していると判定する。この判定は様々な方法で行うことができ得る。たとえば、ＭＭＥは、ＵＥの識別子に基づいて、ＣＳＧにおいて通信を確立するためにＵＥによって送信される要求タイプ（たとえば、接続メッセージ）に基づいて、いくつかの他の好適な情報に基づいて、またはこの情報の何らかの組合せに基づいて、ＵＥが加入しているネットワークを識別することができ得る。
【００３２】
ブロック２０６によって表されるように、ＵＥが第２のネットワークに加入していると判定したときに、ＭＭＥは、第２のネットワークからＵＥについてのサービスコンテキスト情報を取得する。たとえば、ＭＭＥは、ＵＥについてのコンテキスト情報を維持する第２のネットワーク中のＨＳＳ３２２と通信することができ得る。そのようなサービスコンテキスト情報は、たとえば、識別情報、認証情報、モビリティ制限、サービス品質プロファイル、課金特性、機能、および他の情報を備えることができ得る。したがって、ＭＭＥは、たとえば、信頼できるソースから、ＵＥの識別情報と、ＵＥが有効な加入を有することとを検証するために、この情報を使用することができ得る。
【００３３】
ブロック２０８によって表されるように、ＭＭＥは、第１のネットワーク中のサーバからＵＥについてのＣＳＧ加入情報を取得する。図３の例では、このサーバはＣＳＧ加入者サーバ（ＣＳＳ）３２０と呼ばれる。アクセス端末が第１のネットワークへの接続を確立したとき、接続手順中、追跡エリア更新手順中、または何らかの他の同様の手順中に、ＭＭＥはＣＳＳからＣＳＧ加入情報を取り出すことができ得る。さらに、ＵＥにサービスしているＭＭＥにおいて変更があったときはいつでも、ＣＳＧ加入情報が変化したときはいつでも、あるいは何らかの他の時間に、ＭＭＥはＣＳＧ加入情報更新を取得することができ得る。
【００３４】
所与のＣＳＧについてのＣＳＧ加入情報は、ＣＳＧの識別子と、ＣＳＧのネットワーク（たとえば、ＰＬＭＮ）の識別子とを含む。さらに、ＣＳＧ加入情報は、たとえば、有効期限、ｅＮＢ名（たとえば、ＨｅＮＢ名）、または他の情報を含むことができ得る。
【００３５】
ＣＳＳは、ＵＥについてのＣＳＧ加入情報を様々な方法でプロビジョニングされ得る。たとえば、第１のネットワーク中に展開されたＣＳＧの所有者が、ＣＳＧのメンバーであるアクセスポイントおよび／またはＣＳＧにアクセスすることを許可されるアクセス端末を指定するデータベースを（たとえば、ウェブページにアクセスすることによって）更新したときはいつでも、ＣＳＳはＣＳＧ管理サーバによってプロビジョニングされ得る。
【００３６】
ここで、ホームアクセス端末（たとえば、第１のネットワークに加入しているアクセス端末）についての加入情報を維持するために、依然としてＨＳＳ３１４が使用でき得ることを諒解されたい。その上、場合によっては、ＨＳＳとＣＳＳとの機能に共通性があり得る。たとえば、ＨＳＳとＣＳＳとは両方ともＣＳＧ情報を維持することができ得る（たとえば、ＨＳＳはホームアクセス端末についてのＣＳＧ情報を維持することができ得る）。さらに、ＨＳＳとＣＳＳとは共通のサーバ上に実装され得る。
【００３７】
しかしながら、ＣＳＳは、訪問アクセス端末についてのＣＳＧ情報を維持することに限定される必要はない。たとえば、いくつかの実装形態では、ＣＳＳは、（たとえば、訪問アクセス端末とホームアクセス端末とについてのＣＳＧ情報を含む）第１のネットワーク中のすべてのアクセス端末についてのＣＳＧ情報を維持することができ得る。
【００３８】
ブロック２１０によって表されるように、ＵＥについてのＣＳＧ加入情報を取得すると、ＭＭＥは、この情報に基づいて、要求された通信を制御する。たとえば、ＭＭＥは、ｅＮＢのためのＣＳＧのＣＳＧ識別子（ＣＳＧ  ＩＤ）がＵＥについてのＣＳＧ加入情報中に記載されているかどうかを判定することができ得る。記載されている場合、ＭＭＥは、要求を受け付け、ＵＥがｅＮＢにおいて通信を確立することを許可する（たとえば、ＵＥがｅＮＢにアクセスするかまたはｅＮＢにハンドオーバされることを許可する）ことができ得る。記載されていない場合、ＭＭＥはアクセス要求を拒否することができ得る。
【００３９】
いくつかの態様では、ＭＭＥはまた、ブロック２０６および／または２０８において得られた情報を、ページング最適化を行うために使用することができ得る。たとえば、ＭＭＥは、訪問先ネットワーク中のどこでＵＥをページングすべきかを判定するために、（ＵＥの観点から）ＵＥがその訪問先ネットワーク中のどのＣＳＧにアクセスすることを許可されるかについての情報を使用することができ得る。
【００４０】
次に図４および図５を参照しながら、事業者許可ＣＳＧリストとユーザ許可ＣＳＧリストとを維持することに関連して実行され得る例示的な動作について次に説明する。特に、図４には、一方のリストからのＣＳＧ  ＩＤの削除が他方のリストからのそのＣＳＧ  ＩＤの削除を生じるシナリオが記載されている。図５には、一方のリストへのＣＳＧ  ＩＤの追加が他方のリストからのそのＣＳＧ  ＩＤの削除を生じるシナリオが記載されている。
【００４１】
図４のブロック４０２によって表されるように、アクセス端末（たとえば、図１のアクセス端末１０２）は、ＣＳＧ情報の事業者リストを維持する。いくつかの態様では、事業者リストは、リストが事業者（たとえば、ＰＬＭＮなどのワイヤレスネットワークの事業者）によって更新可能であるような方法で維持される。たとえば、事業者リストを更新する必要があるときはいつでも、ネットワーク（たとえば、ＣＳＧリストサーバ）はアプリケーションレベルの更新手順を呼び出すことができ得る。そのような更新は、たとえば、オープンモバイルアライアンスデバイス管理（ＯＭＡ  ＤＭ）プロトコルまたは無線（ＯＴＡ）プロトコルを使用することによって達成でき得る。
【００４２】
ブロック４０４によって表されるように、アクセス端末はまた、ＣＳＧ情報のユーザリストを維持する。ユーザリストは、ホームネットワーク（たとえば、ホームＰＬＭＮ）からのエントリ、または任意の訪問先ネットワーク（たとえば、訪問先ＰＬＭＮ）からのエントリを含むことができ得る。
【００４３】
いくつかの態様では、ユーザリストは、（たとえば、アクセス端末のユーザによって呼び出された手動更新の結果として）アクセス端末によって更新可能であるような方法で維持される。たとえば、アクセス端末が手動セル選択を実行する（たとえば、アクセス端末が、セルをスキャンし、ユーザがユーザ入力デバイスを使用してセルを選択することを可能にするために、検出されたセルのリストをディスプレイデバイス上に表示する）とき、アクセス端末（たとえば、ＣＳＧリストマネージャ１１４）は、選択されたセルをユーザリストに追加するために、手動更新手順を採用することができ得る。ここで、アクセス端末は、アクセス端末がそのセルにアクセスすることを許可されることを検証すると、エントリがまだユーザリストまたは事業者リスト中になかったとすれば、アクセス端末はユーザリストを更新する。いくつかの実装形態では、ユーザはユーザリストを手動で更新することができ得る。たとえば、リストに関する情報（たとえば、リスト中のＣＳＧ  ＩＤ）がディスプレイデバイス上に表示され得、ユーザはユーザ入力デバイスを使用してユーザリスト情報を編集する（たとえば、エントリを追加するかまたは削除する）ことができ得る。したがって、いくつかの態様では、アクセス端末によって更新可能なユーザリストを維持することは、ユーザ入力デバイスから受信された指示に基づいて、またはＣＳＧリストサーバからリストの更新バージョンを受信したときに、リストを更新することを備える。
【００４４】
ブロック４０６によって表されるように、ある時点において、リストのうちの１つからエントリを削除する（たとえば、アクセス端末がＣＳＧにアクセスするための許可を削除する）。リストからのエントリ（たとえば、ＣＳＧ  ＩＤ）の削除は、様々な方法でトリガされ得る。たとえば、アクセス端末がＣＳＧにアクセスすることができない（たとえば、ＣＳＧに関連付けられたセルにアクセスすることを試みたときに、アクセス端末がサービス拒否コードを受信した）場合、ユーザリストからＣＳＧ  ＩＤを削除することができ得る。別の例として、リストをプロビジョニングするためにネットワークによって呼び出されるアプリケーションレベルの更新手順を介して、リストからエントリを削除することができ得る。たとえば、アクセス端末は、特定のエントリを削除するようにアクセス端末に命令するメッセージをＣＳＧリストサーバから受信したときに、リストからそのエントリを削除することができ得る。
【００４５】
次いで、ブロック４０８によって表されるように、ブロック４０６におけるリストからのエントリ（たとえば、ＣＳＧ  ＩＤ）の削除に基づいて、他方のリストから同じエントリを削除する。たとえば、ネットワークが事業者リストからのエントリの削除を引き起こす場合、アクセス端末はユーザリストからそのエントリを自動的に削除することができ得る。このようにして、エントリがもはや有効でないとネットワークが判定すると、アクセス端末はユーザリストからこのエントリを削除することができ得る。したがって、アクセス端末は、他の場合ユーザリスト中の無効なエントリに基づいてＣＳＧにアクセスすることを試みることを防止する。
【００４６】
逆に、アクセス端末がユーザリストからＣＳＧ  ＩＤを削除する場合、アクセス端末は、自動的に、事業者リストからそのＣＳＧ  ＩＤを削除するアクションをとることができ得る。ここで、アクセス端末は、ネットワークがアクセス端末にこの更新を（たとえば、リストからエントリを削除することによって）プロビジョニングする前に（たとえば、アクセスに失敗したときに）、アクセス端末がもはや所与のＣＳＧにアクセスすることが可能でないと判定することができ得る。したがって、アクセス端末が事業者リストエントリに基づいてそのＣＳＧにアクセスすることを試みないように、ユーザリストを更新したときに事業者リストを更新することができ得る。
【００４７】
ブロック４０８におけるリストからのエントリの削除は、様々な方法で達成でき得る。たとえば、事業者リストが更新された場合、アクセス端末は、単にユーザリストからＣＳＧ  ＩＤを消去することができ得る。さらに、アプリケーションレベルの更新手順を開始するアクセス端末を介して、リストからエントリを削除することができ得る。たとえば、エントリがブロック４０６においてユーザリストから削除されたと判定すると、アクセス端末は、事業者リストのプロビジョニングを要求しているネットワーク（たとえば、ＣＳＧリストサーバ）にメッセージを送信することができ得る。この要求の結果として、ネットワーク（たとえば、ＣＳＧリストサーバ）は、事業者リストから指定されたエントリを削除するようにアクセス端末に命令するプロビジョニングメッセージをアクセス端末に送信することができ得る。
【００４８】
ブロック４１０によって表されるように、アクセス端末は、セル（たとえば、ＣＳＧに関連付けられたアクセスポイント）にアクセスすべきかどうかを判定するために、事業者リストおよび／またはユーザリストを使用する。たとえば、そのＣＳＧのエントリがリストのうちの少なくとも１つの中に現れる場合のみ、アクセス端末はＣＳＧのセルにアクセスすることを試みることができ得る。
【００４９】
したがって、２つのリストを効果的に管理するために、図４の動作を使用することができ得る。たとえば、ネットワークまたはアクセス端末のいずれかが、エントリがもはや有効ではなく、その後そのエントリがリストのうちの一方から削除されることを引き起こすと判定した場合、アクセス端末は他方のリストからそのエントリを自動的に削除することができ得る。このようにして、アクセス端末は、リスト中に古い情報を有することを潜在的に回避することができ得る。
【００５０】
次に図５を参照すると、ブロック５０２および５０４によって表されるように、アクセス端末は事業者リストとユーザリストとを維持する。これらの動作は、図４のブロック４０２および４０４において上記で説明した動作に対応する。
【００５１】
ブロック５０６によって表されるように、ある時点において、エントリ（たとえば、ＣＳＧ  ＩＤ）をリストのうちの１つに追加する。リストへのエントリの追加は、様々な方法でトリガされ得る。たとえば、ブロック４０６において上記で説明したように、リストをプロビジョニングするためにネットワークによって呼び出されたアプリケーションレベルの更新手順を介して、エントリをリストに追加することができ得る。したがって、アクセス端末は、特定のエントリを追加するようにアクセス端末に命令するメッセージをＣＳＧリストサーバから受信したときに、そのエントリをリストに追加することができ得る。
【００５２】
ブロック５０８によって表されるように、同じエントリ（たとえば、ＣＳＧ  ＩＤ）がすでに他方のリスト中にあった場合、そのエントリを他方のリストから削除する。たとえば、エントリがユーザリスト中にすでに存在していたときに、ネットワークが事業者リストへのそのエントリの追加を引き起こした場合、アクセス端末はユーザリストからそのエントリを自動的に削除することができ得る。
【００５３】
ブロック５０８におけるリストへのエントリの追加は、様々な方法で達成でき得る。たとえば、事業者リストが更新された場合、アクセス端末は、単にＣＳＧ  ＩＤをユーザリストに追加することができ得る。さらに、エントリの削除のためのブロック４０８において説明したのと同様の方法で（たとえば、事業者によるプロビジョニングを介して）、アプリケーションレベルの更新手順を介してエントリをリストに追加することができ得る。
【００５４】
ブロック５１０によって表されるように、アクセス端末は、上記で説明したように、セル（たとえば、ＣＳＧに関連付けられたアクセスポイント）にアクセスすべきかどうかを判定するために、事業者リストおよび／またはユーザリストを使用する。
【００５５】
したがって、２つのリストを効果的に管理するために、図５の動作を使用することができ得る。たとえば、手動更新の結果として、所与のエントリが最初はユーザリスト中にのみ現れることがある。しかしながら、ある後の時点において、ネットワークは事業者リストにそのエントリをプロビジョニングすることができ得る。そのときに、アクセス端末はユーザリストからエントリを自動的に削除することができ得る。このようにして、アクセス端末は、ユーザリスト中に古い情報を有することを潜在的に回避することができ得る。
【００５６】
上記の動作および構成要素に対して、本明細書の教示に合致する様々な改変を行うことができ得る。たとえば、いくつかの実装形態では、ユーザリストを事業者によって更新可能であるように維持することができ得る。さらに、いくつかの実装形態では、事業者リストをアクセス端末によって更新可能であるように維持することができ得る。
【００５７】
図６に、本明細書で教示するアクセス制御動作を実行するためにアクセス端末６０２およびネットワークノード６０４（たとえば、ＭＭＥ）などのノードに組み込むことができ得る、いくつかの例示的な構成要素を示す。一般に、図６のノードは、図１のアクセス端末１０２および（１つまたは複数の）ネットワークノード１０６または１０８に対応し得る。説明する構成要素は、通信システム中の他のノードに組み込むこともでき得る。たとえば、システム中の他のノードは、同様の機能を与えるために、アクセス端末６０２とネットワークノード６０４とに関して説明する構成要素と同様の構成要素を含むことができ得る。所与のノードは、説明する構成要素のうちの１つまたは複数を含むことができ得る。たとえば、アクセス端末は、アクセス端末が複数の周波数上で動作し、および／または様々な技術によって通信できるようにする、複数のトランシーバ構成要素を含むことができ得る。
【００５８】
図６に示すように、アクセス端末６０２は、他のノードと通信するためのトランシーバ６０６を含むことができ得る。トランシーバ６０６は、信号（たとえば、メッセージまたは指示）を送信するための送信機６０８と、信号を受信するための受信機６１０とを含む。
【００５９】
ネットワークノード６０４は、他のネットワークノードと通信するためのネットワークインターフェース６１２を含む。たとえば、ネットワークインターフェース６１２は、ワイヤードまたはワイヤレスバックホール（wireless backhaul）を介して１つまたは複数のネットワークノードと通信するように構成でき得る。
【００６０】
アクセス端末６０２およびネットワークノード６０４は、本明細書で教示するアクセス制御動作と連携して使用でき得る他の構成要素をも含む。たとえば、アクセス端末６０２およびネットワークノード６０４は、それぞれ、他のノードとの通信を管理するため（たとえば、ＣＳＧ情報を取得すること、サービスコンテキスト情報を取得すること、メッセージ、要求、指示、認証情報、または応答を送信および受信することのうちの１つまたは複数のため）、および本明細書で教示する他の関連する機能を与えるための通信コントローラ６１４および６１６を含む。さらに、アクセス端末６０２は、事業者リストとユーザリストとを維持するため、および本明細書で教示する他の関連する機能を与えるためのデータベース６１８を含む。たとえば、データベース６１８は、データメモリとして、データベースサーバとして、またはリスト情報を記憶するための何らかの他の好適な構造として実装でき得る。アクセス端末６０２は、リストを管理するため（たとえば、これらのリストに情報を追加するため、およびリストから情報を削除するため）、ならびに本明細書で教示する他の関連する機能を与えるためのリストマネージャ６２０を含む。いくつかの態様では、データベース６１８およびリストマネージャ６２０は、図１で説明した構成要素１１０、１１４、および１１６に対応する。アクセス端末６０２はまた、アクセスを管理する（たとえば、セルにアクセスすべきかどうかを判定するためにリストを使用する）ため、および本明細書で教示する他の関連する機能を与えるためのアクセスコントローラ６２２を含む。さらに、アクセス端末６０２は、本明細書で論じるディスプレイデバイス６２６とユーザ入力デバイス６２８とを含む。最後に、ネットワークノード６０４は、アクセスを管理する（たとえば、アクセス端末がどこに加入しているかを判定し、要求されたアクセスを制御する）ため、および本明細書で教示する他の関連する機能を与えるためのアクセスコントローラ６２４を含む。
【００６１】
便宜のために、ノードを、本明細書で説明する様々な例において使用され得る構成要素を含むものとして図６に示す。実際には、様々な実装形態において様々な方法で図示の構成要素のうちの１つまたは複数を実装することができ得る。一例として、アクセス端末６０２は、図５のシナリオに比較して図４のシナリオにおいて異なる機能を有し、および／または異なる方法で動作することができ得る。
【００６２】
いくつかの実装形態では、図６の構成要素は、（たとえば、データメモリを使用し、および／または組み込む）１つまたは複数のプロセッサ中に実装でき得る。たとえば、ブロック６１４、６１８、６２０、および６２２の機能はアクセスポイント中の１つまたは複数のプロセッサによって少なくとも部分的に実装でき得、ブロック６１６および６２４の機能はネットワークノード中の１つまたは複数のプロセッサによって実装でき得る。
【００６３】
いくつかの態様では、本明細書の教示は、大規模カバレージ（たとえば、一般にマクロセルネットワークまたはＷＡＮと呼ばれる３Ｇネットワークなどの広域セルラーネットワーク）と、より小規模のカバレージ（たとえば、一般にＬＡＮと呼ばれる住居ベースまたは建築物ベースのネットワーク環境）とを含むネットワークにおいて採用でき得る。アクセス端末（ＡＴ）がそのようなネットワーク中を移動するとき、アクセス端末は、いくつかのロケーションでは、マクロカバレージを与えるアクセスポイントによってサービスされ、他のロケーションでは、より小規模のカバレージを与えるアクセスポイントによってサービスされ得る。いくつかの態様では、より小さいカバレージノードを使用して、（たとえば、よりロバストなユーザエクスペリエンスのために）増分キャパシティの増大と、屋内カバレージと、様々なサービスとを与えることができ得る。
【００６４】
本明細書の説明では、比較的大きいエリアにわたるカバレージを与えるノード（たとえば、アクセスポイント）をマクロアクセスポイントと呼び、比較的小さいエリア（たとえば、住居）にわたるカバレージを与えるノードをフェムトアクセスポイントと呼ぶことがある。本明細書の教示は、他のタイプのカバレージエリアに関連付けられたノードに適用できる場合があることを諒解されたい。たとえば、ピコアクセスポイントは、マクロエリアよりも小さく、フェムトエリアよりも大きいエリアにわたるカバレージ（たとえば、商業建築物内のカバレージ）を与えることができ得る。様々な適用例では、マクロアクセスポイント、フェムトアクセスポイント、または他のアクセスポイントタイプのノードを指すために他の用語を使用することがある。たとえば、マクロアクセスポイントを、アクセスノード、基地局、アクセスポイント、ｅノードＢ、マクロセルなどとして構成し、またはそのように呼ぶことがある。また、フェムトアクセスポイントを、ホームノードＢ、ホームｅノードＢ、アクセスポイント基地局、フェムトセルなどとして構成し、またはそのように呼ぶことがある。いくつかの実装形態では、ノードを１つまたは複数のセルまたはセクタに関連付ける（たとえば、分割する）ことができ得る。マクロアクセスポイント、フェムトアクセスポイント、またはピコアクセスポイントに関連付けられたセルまたはセクタを、それぞれ、マクロセル、フェムトセル、またはピコセルと呼ぶことがある。
【００６５】
図７に、本明細書の教示を実装することができ得る、いくつかのユーザをサポートするように構成されたワイヤレス通信システム７００を示す。システム７００は、たとえば、マクロセル７０２Ａ〜７０４Ｇなど、複数のセル７０２の通信を可能にし、各セルは、対応するアクセスポイント７０４（たとえば、アクセスポイント７０４Ａ〜７０４Ｇ）によってサービスされる。図７に示すように、アクセス端末７０６（たとえば、アクセス端末７０６Ａ〜７０６Ｌ）は、時間とともにシステム全体にわたって様々なロケーションに分散され得る。各アクセス端末７０６は、たとえば、アクセス端末７０６がアクティブかどうか、およびアクセス端末７０６がソフトハンドオフ中かどうかに応じて、所与の瞬間に順方向リンク（ＦＬ）および／または逆方向リンク（ＲＬ）上で１つまたは複数のアクセスポイント７０４と通信することができ得る。ワイヤレス通信システム７００は広い地理的領域にわたってサービスを提供することができ得る。たとえば、マクロセル７０２Ａ〜７０２Ｇは、近隣内の数ブロックまたは地方環境の数マイルをカバーすることができ得る。
【００６６】
図８に、１つまたは複数のフェムトアクセスポイントがネットワーク環境内に展開された例示的な通信システム８００を示す。特に、システム８００は、比較的小規模のネットワーク環境中に（たとえば、１つまたは複数のユーザ住居８３０中に）設置された複数のフェムトアクセスポイント８１０（たとえば、フェムトアクセスポイント８１０Ａおよび８１０Ｂ）を含む。各フェムトアクセスポイント８１０は、ＤＳＬルータ、ケーブルモデム、ワイヤレスリンク、または他の接続手段（図示せず）を介して、ワイドエリアネットワーク８４０（たとえば、インターネット）とモバイル事業者コアネットワーク８５０とに結合でき得る。以下で説明するように、各フェムトアクセスポイント８１０は、関連するアクセス端末８２０（たとえば、アクセス端末８２０Ａ）、および、随意に、他の（たとえば、ハイブリッドまたは外来）アクセス端末８２０（たとえば、アクセス端末８２０Ｂ）にサービスするように構成でき得る。言い換えれば、フェムトアクセスポイント８１０へのアクセスを制限することができ得、それによって、所与のアクセス端末８２０を、指定された（１つまたは複数の）（たとえば、ホーム）フェムトアクセスポイント８１０のセットがサービスすることはでき得るが、指定されていないフェムトアクセスポイント８１０（たとえば、ネイバーのフェムトアクセスポイント８１０）がサービスすることはできない。
【００６７】
図９に、いくつかの追跡エリア９０２（またはルーティングエリアもしくは位置登録エリア）が画定されたカバレージマップ９００の例を示し、そのエリアの各々はいくつかのマクロカバレージエリア９０４を含む。ここで、追跡エリア９０２Ａ、９０２Ｂ、および９０２Ｃに関連付けられたカバレージのエリアは太線によって示され、マクロカバレージエリア９０４は大きい六角形によって表される。追跡エリア９０２はフェムトカバレージエリア９０６をも含む。この例では、フェムトカバレージエリア９０６の各々（たとえば、フェムトカバレージエリア９０６Ｃ）は、１つまたは複数のマクロカバレージエリア９０４（たとえば、マクロカバレージエリア９０４Ｂ）内に示されている。ただし、フェムトカバレージエリア９０６の一部または全部がマクロカバレージエリア９０４内にない場合があることを諒解されたい。実際には、多数のフェムトカバレージエリア９０６を所与の追跡エリア９０２またはマクロカバレージエリア９０４とともに画定することができ得る。また、１つまたは複数のピコカバレージエリア（図示せず）を所与の追跡エリア９０２またはマクロカバレージエリア９０４内に画定することができ得る。
【００６８】
再び図８を参照すると、フェムトアクセスポイント８１０の所有者は、たとえば、３Ｇモバイルサービスなど、モバイル事業者コアネットワーク８５０を介して提供されるモバイルサービスに加入することができ得る。さらに、アクセス端末８２０は、マクロ環境と、より小規模の（たとえば、宅内）ネットワーク環境の両方で動作することが可能であり得る。言い換えれば、アクセス端末８２０の現在のロケーションに応じて、アクセス端末８２０は、モバイル事業者コアネットワーク８５０に関連付けられたマクロセルアクセスポイント８６０によって、または、フェムトアクセスポイント８１０のセットのいずれか１つ（たとえば、対応するユーザ住居８３０内に常駐するフェムトアクセスポイント８１０Ａおよび８１０Ｂ）によってサービスされ得る。たとえば、加入者は、自宅の外にいるときは標準のマクロアクセスポイント（たとえば、アクセスポイント８６０）によってサービスされ、自宅の中にいるときはフェムトアクセスポイント（たとえば、アクセスポイント８１０Ａ）によってサービスされる。ここで、フェムトアクセスポイント８１０は、レガシーアクセス端末８２０と後方互換性があり得る。
【００６９】
フェムトアクセスポイント８１０は、単一の周波数上に展開でき得、または代替として、複数の周波数上に展開でき得る。特定の構成に応じて、単一の周波数、あるいは複数の周波数のうちの１つまたは複数は、マクロアクセスポイント（たとえば、アクセスポイント８６０）によって使用される１つまたは複数の周波数と重なることがある。
【００７０】
いくつかの態様では、アクセス端末８２０は、そのような接続性が可能であるときはいつでも、好適なフェムトアクセスポイント（たとえば、アクセス端末８２０のホームフェムトアクセスポイント）に接続するように構成でき得る。たとえば、アクセス端末８２０Ａがユーザの住居８３０内にあるときはいつでも、アクセス端末８２０Ａがホームフェムトアクセスポイント８１０Ａまたは８１０Ｂのみと通信することが望ましいことがある。
【００７１】
いくつかの態様では、アクセス端末８２０がマクロセルラーネットワーク８５０内で動作しているが、（たとえば、好適ローミングリスト中で定義された）その最も好適なネットワーク上に常駐していない場合、アクセス端末８２０は、ベターシステムリセレクション（ＢＳＲ）手順を使用して、最も好適なネットワーク（たとえば、好適なフェムトアクセスポイント８１０）を探索し続け、ベターシステムリセレクションでは、より良好なシステムが現在利用可能であるかどうかを判定するために利用可能なシステムの周期的スキャニングを行い、その後、そのような好適なシステムを捕捉することができ得る。アクセス端末８２０は、特定の帯域およびチャネルの探索を制限することができ得る。たとえば、１つまたは複数のフェムトチャネルが定義され、それにより、領域中のすべてのフェムトアクセスポイント（またはすべての制限付きフェムトアクセスポイント）は（１つまたは複数の）フェムトチャネル上で動作することができ得る。最も好適なシステムの探索を周期的に繰り返すことができ得る。好適なフェムトアクセスポイント８１０が発見されると、アクセス端末８２０は、そのカバレージエリア内にあるときに使用するために、フェムトアクセスポイント８１０を選択し、それに登録する。
【００７２】
フェムトアクセスポイントへのアクセスは、いくつかの態様では、制限され得る。たとえば、所与のフェムトアクセスポイントは、いくつかのサービスをいくつかのアクセス端末のみに提供することができ得る。いわゆる制限付き（または限定）アクセスを用いた展開では、所与のアクセス端末は、マクロセルモバイルネットワークと、フェムトアクセスポイントの定義されたセット（たとえば、対応するユーザ住居８３０内に常駐するフェムトアクセスポイント８１０）とによってのみサービスされ得る。いくつかの実装形態では、ノードは、少なくとも１つのノードにシグナリング、データアクセス、登録、ページング、またはサービスのうちの少なくとも１つを与えないように制限され得る。
【００７３】
いくつかの態様では、（限定加入者グループホームノードＢと呼ばれることもある）制限付きフェムトアクセスポイントは、制限されたプロビジョニングされたアクセス端末のセットにサービスを提供するアクセスポイントである。このセットは、必要に応じて、一時的にまたは永続的に拡大でき得る。いくつかの態様では、限定加入者グループ（ＣＳＧ）は、アクセス端末の共通のアクセス制御リストを共有するアクセスポイント（たとえば、フェムトアクセスポイント）のセットとして定義でき得る。
【００７４】
したがって、所与のフェムトアクセスポイントと所与のアクセス端末との間には様々な関係が存在し得る。たとえば、アクセス端末の観点から、開いたフェムトアクセスポイントは、無制限のアクセスをもつフェムトアクセスポイントを指すことがある（たとえば、そのフェムトアクセスポイントはすべてのアクセス端末へのアクセスを許可する）。制限付きフェムトアクセスポイントは、何らかの形で制限された（たとえば、アクセスおよび／または登録について制限された）フェムトアクセスポイントを指すことがある。ホームフェムトアクセスポイントは、アクセス端末がアクセスし、その上で動作することを許可される（たとえば、永続的なアクセスが、１つまたは複数のアクセス端末の定義されたセットに与えられる）フェムトアクセスポイントを指すことがある。ゲスト（またはハイブリッド）フェムトアクセスポイントは、アクセス端末がアクセスし、またはその上で動作することを一時的に許可されるフェムトアクセスポイントを指すことがある。外来フェムトアクセスポイントは、おそらく非常事態（たとえば、９１１番）を除いて、アクセス端末がアクセスし、またはその上で動作することを許可されないフェムトアクセスポイントを指すことがある。
【００７５】
制限付きフェムトアクセスポイントの観点から、ホームアクセス端末は、そのアクセス端末の所有者の住居中に設置された制限付きフェムトアクセスポイントへのアクセスを許可されるアクセス端末を指すことがある（通常、ホームアクセス端末は、そのフェムトアクセスポイントへの永続的なアクセスを有する）。ゲストアクセス端末は、（たとえば、最終期限、使用時間、バイト、接続回数、または何らかの他の１つまたは複数の基準に基づいて制限された）制限付きフェムトアクセスポイントへの一時的アクセスをもつアクセス端末を指すことがある。外来アクセス端末は、たとえば、おそらく９１１番などの非常事態を除いて、制限付きフェムトアクセスポイントにアクセスするための許可を有していないアクセス端末（たとえば、制限付きフェムトアクセスポイントに登録するための証明書または許可を有していないアクセス端末）を指すことがある。
【００７６】
便宜のために、本明細書の開示では、フェムトアクセスポイントの文脈で様々な機能について説明する。ただし、ピコアクセスポイントは、同じまたは同様の機能をより大きいカバレージエリアに与えることができ得ることを諒解されたい。たとえば、所与のアクセス端末に対して、ピコアクセスポイントを制限すること、ホームピコアクセスポイントを定義することなどが可能であり得る。
【００７７】
本明細書の教示は、複数のワイヤレスアクセス端末のための通信を同時にサポートするワイヤレス多元接続通信システムにおいて採用でき得る。ここで、各端末は、順方向リンクおよび逆方向リンク上の送信を介して１つまたは複数のアクセスポイントと通信することができ得る。順方向リンク（すなわち、ダウンリンク）は、アクセスポイントから端末への通信リンクを指し、逆方向リンク（すなわち、アップリンク）は、端末からアクセスポイントへの通信リンクを指す。この通信リンクは、単入力単出力システム、多入力多出力（ＭＩＭＯ）システム、または何らかの他のタイプのシステムを介して確立でき得る。
【００７８】
ＭＩＭＯシステムは、データ伝送用の複数（ＮT）個の送信アンテナおよび複数（ＮR）個の受信アンテナを使用する。ＮT個の送信アンテナとＮR個の受信アンテナとによって形成されるＭＩＭＯチャネルは、空間チャネルと呼ばれることもあるＮS個の独立チャネルに分解でき得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができ得る。
【００７９】
ＭＩＭＯシステムは時分割複信（ＴＤＤ）および周波数分割複信（ＦＤＤ）をサポートすることができ得る。ＴＤＤシステムでは、順方向および逆方向リンク伝送が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を抽出することが可能になる。
【００８０】
図１０に、例示的なＭＩＭＯシステム１０００のワイヤレスデバイス１０１０（たとえば、アクセスポイント）およびワイヤレスデバイス１０５０（たとえば、アクセス端末）を示す。デバイス１０１０では、いくつかのデータストリームのトラフィックデータが、データソース１０１２から送信（ＴＸ）データプロセッサ１０１４に供給される。各データストリームは、次いで、それぞれの送信アンテナを介して送信でき得る。
【００８１】
ＴＸデータプロセッサ１０１４は、符号化データを与えるために、そのデータストリーム用に選択された特定の符号化方式に基づいて、データストリームごとにトラフィックデータをフォーマットし、符号化し、インターリーブする。各データストリームの符号化データは、ＯＦＤＭ技法を使用してパイロットデータで多重化でき得る。パイロットデータは、典型的には、知られている方法で処理され、チャネル応答を推定するために受信機システムにおいて使用でき得る知られているデータパターンである。次いで、各データストリームの多重化されたパイロットデータおよび符号化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ１０３０によって実行される命令によって判定でき得る。データメモリ１０３２は、プロセッサ１０３０またはデバイス１０１０の他の構成要素によって使用されるプログラムコード、データ、および他の情報を記憶することができ得る。
【００８２】
次いで、すべてのデータストリームの変調シンボルがＴＸ  ＭＩＭＯプロセッサ１０２０に供給され、ＴＸ  ＭＩＭＯプロセッサ１０２０はさらに（たとえば、ＯＦＤＭ用に）その変調シンボルを処理することができ得る。次いで、ＴＸ  ＭＩＭＯプロセッサ１０２０は、ＮT個の変調シンボルストリームをＮT個のトランシーバ（ＸＣＶＲ）１０２２Ａ〜１０２２Ｔに供給する。いくつかの態様では、ＴＸ  ＭＩＭＯプロセッサ１０２０は、データストリームのシンボルと、シンボルの送信元のアンテナとにビームフォーミング重みを付加する。
【００８３】
各トランシーバ１０２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した被変調信号を与える。次いで、トランシーバ１０２２Ａ〜１０２２ＴからのＮT個の被変調信号は、それぞれ、ＮT個のアンテナ１０２４Ａ〜１０２４Ｔから送信される。
【００８４】
デバイス１０５０では、送信された被変調信号はＮR個のアンテナ１０５２Ａ〜１０５２Ｒによって受信され、各アンテナ１０５２からの受信信号は、それぞれのトランシーバ（ＸＣＶＲ）１０５４Ａ〜１０５４Ｒに供給される。各トランシーバ１０５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００８５】
次いで、受信（ＲＸ）データプロセッサ１０６０は、特定の受信機処理技法に基づいてＮR個のトランシーバ１０５４からＮR個の受信シンボルストリームを受信し、処理して、ＮT個の「検出」シンボルストリームを与える。次いで、ＲＸデータプロセッサ１０６０は、各検出シンボルストリームを復調し、デインターリーブし、復号して、データストリームに対するトラフィックデータを復元する。ＲＸデータプロセッサ１０６０による処理は、デバイス１０１０におけるＴＸ  ＭＩＭＯプロセッサ１０２０およびＴＸデータプロセッサ１０１４によって実行される処理を補足するものである。
【００８６】
プロセッサ１０７０は、どのプリコーディング行列を使用すべきかを周期的に判定する（後述）。プロセッサ１０７０は、行列インデックス部とランク値部とを備える逆方向リンクメッセージを作成する。データメモリ１０７２は、プロセッサ１０７０またはデバイス１０５０の他の構成要素によって使用されるプログラムコード、データ、および他の情報を記憶することができ得る。
【００８７】
逆方向リンクメッセージは、通信リンクおよび／または受信データストリームに関する様々なタイプの情報を備えることができ得る。次いで、逆方向リンクメッセージは、データソース１０３６からいくつかのデータストリームのトラフィックデータをも受信するＴＸデータプロセッサ１０３８によって処理され、変調器１０８０によって変調され、トランシーバ１０５４Ａ〜１０５４Ｒによって調整され、デバイス１０１０に戻される。
【００８８】
デバイス１０１０では、デバイス１０５０からの被変調信号は、アンテナ１０２４によって受信され、トランシーバ１０２２によって調整され、復調器（ＤＥＭＯＤ）１０４０によって復調され、ＲＸデータプロセッサ１０４２によって処理されて、デバイス１０５０によって送信された逆方向リンクメッセージが抽出される。次いで、プロセッサ１０３０は、ビームフォーミング重みを判定するためにどのプリコーディング行列を使用すべきかを判定し、次いで、抽出されたメッセージを処理する。
【００８９】
図１０はまた、通信構成要素が、本明細書で教示するアクセス制御動作を実行する１つまたは複数の構成要素を含むことができ得ることを示す。たとえば、アクセス制御構成要素１０９０は、デバイス１０１０のプロセッサ１０３０および／または他の構成要素と協働して、本明細書で教示する別のデバイス（たとえば、デバイス１０５０）へのアクセスを与えることができ得る。同様に、アクセス制御構成要素１０９２は、プロセッサ１０７０および／またはデバイス１０５０の他の構成要素と協働して、別のデバイス（たとえば、デバイス１０１０）へのアクセスを得ることができ得る。各デバイス１０１０および１０５０について、説明する構成要素の２つ以上の機能が単一の構成要素によって提供でき得ることを諒解されたい。たとえば、単一の処理構成要素がアクセス制御構成要素１０９０およびプロセッサ１０３０の機能を提供し、また、単一の処理構成要素がアクセス制御構成要素１０９２およびプロセッサ１０７０の機能を提供することができ得る。
【００９０】
本明細書の教示は、様々なタイプの通信システムおよび／またはシステム構成要素に組み込むことができ得る。いくつかの態様では、本明細書の教示は、利用可能なシステムリソースを共有することによって（たとえば、帯域幅、送信電力、符号化、インターリーブなどのうちの１つまたは複数を指定することによって）、複数のユーザとの通信をサポートすることが可能な多元接続システムにおいて採用でき得る。たとえば、本明細書の教示は、符号分割多元接続（ＣＤＭＡ）システム、多重キャリアＣＤＭＡ（ＭＣＣＤＭＡ）、広帯域ＣＤＭＡ（Ｗ−ＣＤＭＡ）、高速パケットアクセス（ＨＳＰＡ、ＨＳＰＡ＋）システム、時間分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術のいずれか１つまたは組合せに適用でき得る。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計でき得る。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００、または何らかの他の技術などの無線技術を実装することができ得る。ＵＴＲＡは、Ｗ−ＣＤＭＡおよび低チップレート（ＬＣＲ）を含む。ｃｄｍａ２０００技術は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができ得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができ得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。本明細書の教示は、３ＧＰＰ  Ｌｏｎｇ  Ｔｅｒｍ  Ｅｖｏｌｕｔｉｏｎ（ＬＴＥ）システム、Ｕｌｔｒａ  Ｍｏｂｉｌｅ  Ｂｒｏａｄｂａｎｄ（ＵＭＢ）システム、および他のタイプのシステムで実装でき得る。ＬＴＥは、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と呼ばれる組織からの文書に記載されており、ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と呼ばれる組織からの文書に記載されている。本開示のいくつかの態様については、３ＧＰＰ用語を使用して説明するが、本明細書の教示は、３ＧＰＰ（たとえば、Ｒｅｌ９９、Ｒｅｌ５、Ｒｅｌ６、Ｒｅｌ７）技術、ならびに３ＧＰＰ２（たとえば、１ｘＲＴＴ、１ｘＥＶ−ＤＯ  Ｒｅｌ０、ＲｅｖＡ、ＲｅｖＢ）技術および他の技術に適用でき得ることを理解されたい。
【００９１】
本明細書の教示は、様々な装置（たとえば、ノード）に組み込む（たとえば、装置内に実装する、または装置によって実行する）ことができ得る。いくつかの態様では、本明細書の教示に従って実装されるノード（たとえば、ワイヤレスノード）はアクセスポイントまたはアクセス端末を備えることができ得る。
【００９２】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の好適な処理デバイスを備えることができ得る。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽デバイス、ビデオデバイス、または衛星ラジオ）、全地球測位システムデバイス、あるいはワイヤレス媒体を介して通信するように構成された他の好適なデバイスに組み込むことができ得る。
【００９３】
アクセスポイントは、ノードＢ、ｅノードＢ、無線ネットワークコントローラ（ＲＮＣ）、基地局（ＢＳ）、無線基地局（ＲＢＳ）、基地局コントローラ（ＢＳＣ）、送受信基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または何らかの他の同様の用語を備えるか、それらのいずれかとして実装されるか、あるいはそれらのいずれかとして知られることがある。
【００９４】
いくつかの態様では、ノード（たとえば、アクセスポイント）は、通信システムのためのアクセスノードを備えることができ得る。そのようなアクセスノードは、たとえば、ネットワークへのワイヤードまたはワイヤレス通信リンクを介した、ネットワーク（たとえば、インターネットまたはセルラーネットワークなどワイドエリアネットワーク）のための、またはネットワークへの接続性を与えることができ得る。したがって、アクセスノードは、別のノード（たとえば、アクセス端末）がネットワークまたは何らかの他の機能にアクセスできるようにすることができ得る。さらに、一方または両方のノードはポータブルでも、場合によっては比較的非ポータブルでもよいことを諒解されたい。
【００９５】
また、ワイヤレスノードは、非ワイヤレス方式で（たとえば、ワイヤード接続を介して）情報を送信および／または受信することができ得ることを諒解されたい。したがって、本明細書で説明する受信機および送信機は、非ワイヤレス媒体を介して通信するために適切な通信インターフェース構成要素（たとえば、電気的または光学的インターフェース構成要素）を含むことができ得る。
【００９６】
ワイヤレスノードは、好適なワイヤレス通信技術に基づくあるいはサポートする１つまたは複数のワイヤレス通信リンクを介して通信することができ得る。たとえば、いくつかの態様では、ワイヤレスノードはネットワークに関連付けることができ得る。いくつかの態様では、ネットワークはローカルエリアネットワークまたはワイドエリアネットワークを備えることができ得る。ワイヤレスデバイスは、本明細書で説明する様々なワイヤレス通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートまたは使用することができ得る。同様に、ワイヤレスノードは、様々な対応する変調方式または多重化方式のうちの１つまたは複数をサポートまたは使用することができ得る。したがって、ワイヤレスノードは、上記または他のワイヤレス通信技術を使用して１つまたは複数のワイヤレス通信リンクを確立し、それを介して通信するために適切な構成要素（たとえば、エアインターフェース）を含むことができ得る。たとえば、ワイヤレスノードは、ワイヤレス媒体上の通信を可能にする様々な構成要素（たとえば、信号発生器および信号処理器）を含むことができ得る関連する送信機構成要素および受信機構成要素をもつワイヤレストランシーバを備えることができ得る。
【００９７】
（たとえば、添付の図の１つまたは複数に関して）本明細書で説明した機能は、いくつかの態様では、添付の特許請求の範囲において同様に指定された「手段」機能に対応し得る。図１１〜図１３を参照すると、装置１１００、１２００、および１３００が、一連の相互に関連する機能モジュールとして表されている。ここで、加入判定モジュール１１０２は、少なくともいくつかの態様では、たとえば、本明細書で説明するアクセスコントローラに対応し得る。コンテキスト情報取得モジュール１１０４は、少なくともいくつかの態様では、たとえば、本明細書で説明する通信コントローラに対応し得る。ＣＳＧ加入情報取得モジュール１１０６は、少なくともいくつかの態様では、たとえば、本明細書で説明する通信コントローラに対応し得る。通信制御モジュール１１０８は、少なくともいくつかの態様では、たとえば、本明細書で説明するアクセスコントローラに対応し得る。事業者リスト維持モジュール１２０２は、少なくともいくつかの態様では、たとえば、本明細書で説明するデータベースに対応し得る。ユーザリスト維持モジュール１２０４は、少なくともいくつかの態様では、たとえば、本明細書で説明するデータベースに対応し得る。第１のリストＣＳＧ識別子削除モジュール１２０６は、少なくともいくつかの態様では、たとえば、本明細書で説明するリストマネージャに対応し得る。第２のリストＣＳＧ識別子削除モジュール１２０８は、少なくともいくつかの態様では、たとえば、本明細書で説明するリストマネージャに対応し得る。リスト使用モジュール１２１０は、少なくともいくつかの態様では、たとえば、本明細書で説明するアクセスコントローラに対応し得る。事業者リスト維持モジュール１３０２は、少なくともいくつかの態様では、たとえば、本明細書で説明するデータベースに対応し得る。ユーザリスト維持モジュール１３０４は、少なくともいくつかの態様では、たとえば、本明細書で説明するデータベースに対応し得る。第１のリストＣＳＧ識別子追加モジュール１３０６は、少なくともいくつかの態様では、たとえば、本明細書で説明するリストマネージャに対応し得る。第２のリストＣＳＧ識別子削除モジュール１３０８は、少なくともいくつかの態様では、たとえば、本明細書で説明するリストマネージャに対応し得る。リスト使用モジュール１３１０は、少なくともいくつかの態様では、たとえば、本明細書で説明するアクセスコントローラに対応し得る。
【００９８】
図１１〜図１３のモジュールの機能は、本明細書の教示に合致する様々な方法で実装でき得る。いくつかの態様では、これらのモジュールの機能は、１つまたは複数の電気構成要素として実装でき得る。いくつかの態様では、これらのブロックの機能は、１つまたは複数のプロセッサ構成要素を含む処理システムとして実装でき得る。いくつかの態様では、これらのモジュールの機能は、たとえば、１つまたは複数の集積回路（たとえば、ＡＳＩＣ）の少なくとも一部分を使用して実装でき得る。本明細書で説明するように、集積回路は、プロセッサ、ソフトウェア、他の関係する構成要素、またはそれらの何らかの組合せを含むことができ得る。これらのモジュールの機能は、本明細書で教示する方法とは別の何らかの方法で実装することもでき得る。いくつかの態様では、図１１〜図１３中の破線ブロックのうちの１つまたは複数は随意である。
【００９９】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用でき得る。したがって、第１および第２の要素への言及は、そこで２つの要素のみが使用でき得ること、または第１の要素が何らかの方法で第２の要素に先行しなければならないことを意味するものではない。また、別段の規定がない限り、要素のセットは１つまたは複数の要素を備えることがある。さらに、明細書または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【０１００】
情報および信号は多種多様な技術および技法のいずれかを使用して表すことができ得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表すことができ得る。
【０１０１】
さらに、本明細書で開示した態様に関して説明した様々な例示的な論理ブロック、モジュール、プロセッサ、手段、回路、およびアルゴリズムステップのいずれかは、電子ハードウェア（たとえば、ソースコーディングまたは何らかの他の技法を使用して設計でき得る、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装でき得ることを当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装することができ得るが、そのような実装の決定は、本開示の範囲からの逸脱を生じるものと解釈すべきではない。
【０１０２】
本明細書で開示した態様に関して説明した様々な例示的な論理ブロック、モジュール、および回路は、集積回路（ＩＣ）、アクセス端末、またはアクセスポイント内に実装でき得るか、またはそれらによって実行でき得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、電気構成要素、光学構成要素、機械構成要素、あるいは本明細書で説明した機能を実行するように設計されたそれらの任意の組合せを備えることができ得、ＩＣの内部に、ＩＣの外側に、またはその両方に常駐するコードまたは命令を実行することができ得る。汎用プロセッサはマイクロプロセッサとすることができ得るが、代替として、プロセッサは、任意の従来のプロセッサ、コントローラ、マイクロコントローラ、または状態機械とすることができ得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもでき得る。
【０１０３】
開示したプロセス中のステップの特定の順序または階層は例示的な手法の一例であることを理解されたい。設計上の選好に基づいて、プロセス中のステップの特定の順序または階層は本開示の範囲内のまま再構成でき得ることを理解されたい。添付の方法クレームは、様々なステップの要素を例示的な順序で提示したものであり、提示された特定の順序または階層に限定されるものではない。
【０１０４】
１つまたは複数の例示的な実施形態では、説明した機能はハードウェア、ソフトウェア、ファームウェア、またはそれらの任意の組合せで実装でき得る。ソフトウェアで実装する場合、機能は、１つまたは複数の命令またはコードとしてコンピュータ可読媒体上に記憶するか、あるいはコンピュータ可読媒体を介して送信することができ得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の利用可能な媒体とすることができ得る。限定ではなく、例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを担持または記憶するために使用でき、コンピュータによってアクセスできる、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。コンピュータ可読媒体は任意の好適なコンピュータプログラム製品に実装でき得ることを諒解されたい。
【０１０５】
開示した態様の前述の説明は、当業者が本開示を製作または使用できるように提供したものである。これらの態様への様々な修正は当業者にはすぐに明らかになり、本明細書で定義した一般原理は本開示の範囲から逸脱することなく他の態様に適用でき得る。したがって、本開示は、本明細書で示した態様に限定されるものではなく、本明細書で開示した原理および新規の特徴に一致する最も広い範囲を与えられるべきである。
以下に、本願出願の当初の特許請求の範囲に記載された発明を付記する。
［１］
第１のネットワークにおいて通信を確立することを要求しているアクセス端末が第２のネットワークに加入していると判定することと、
前記第２のネットワークから前記アクセス端末のサービスコンテキスト情報を取得することと、
前記第１のネットワーク中のサーバから、前記アクセス端末がアクセスすることを許可される少なくとも１つの限定加入者グループを識別する、前記アクセス端末の限定加入者グループ加入情報を取得することと、
前記限定加入者グループ加入情報に基づいて、前記要求された通信を制御することとを備える、通信の方法。
［２］
前記サーバが、前記第１のネットワークにおいて訪問するアクセス端末についての限定加入者グループ加入情報を記憶する限定加入者グループ加入者サーバを備える、［１］に記載の方法。
［３］
前記サービスコンテキスト情報が前記第２のネットワークのホーム加入者サーバから取得される、［１］に記載の方法。
［４］
前記第１のネットワークが前記アクセス端末の訪問先パブリックランドモバイルネットワークを備え、
前記第２のネットワークが前記アクセス端末のホームパブリックランドモバイルネットワークを備える
［１］に記載の方法。
［５］
通信を確立することの前記要求は、前記アクセス端末が、限定加入者グループに関連付けられたフェムトアクセスポイントにアクセスすることを要求することを備える、［１］に記載の方法。
［６］
前記要求された通信を前記制御することが、
前記フェムトアクセスポイントの前記限定加入者グループが前記アクセス端末の前記限定加入者グループ加入情報中に記載されているかどうかを判定することと、
前記フェムトアクセスポイントの前記限定加入者グループが前記限定加入者グループ加入情報中に記載されているかどうかの前記判定に基づいて、前記要求されたアクセスを拒否すべきかまたは受け付けるべきかを判定することと
を備える、［５］に記載の方法。
［７］
通信を確立することの前記要求は、前記アクセス端末が、限定加入者グループに関連付けられたフェムトアクセスポイントへのハンドオーバを要求することを備える、［１］に記載の方法。
［８］
前記要求された通信を前記制御することが、
前記フェムトアクセスポイントの前記限定加入者グループが前記アクセス端末の前記限定加入者グループ加入情報中に記載されているかどうかを判定することと、
前記フェムトアクセスポイントの前記限定加入者グループが前記限定加入者グループ加入情報中に記載されているかどうかの前記判定に基づいて、前記要求されたハンドオーバを拒否すべきかまたは受け付けるべきかを判定することと
を備える、［７］に記載の方法。
［９］
前記アクセス端末が前記第２のネットワークに加入しているという前記判定が、前記アクセス端末の識別子と、前記第１のネットワークにおいて通信の前記確立を要求するために前記アクセス端末によって送信される要求タイプとからなるグループのうちの少なくとも１つに基づく、［１］に記載の方法。
［１０］
モビリティ管理エンティティが前記サービスコンテキスト情報と前記限定加入者グループ加入情報とを取得する、［１］に記載の方法。
［１１］
第１のネットワークにおいて通信を確立することを要求しているアクセス端末が第２のネットワークに加入していると判定するように構成されたアクセスコントローラと、
前記第２のネットワークから前記アクセス端末のサービスコンテキスト情報を取得するように構成され、前記第１のネットワーク中のサーバから前記アクセス端末の限定加入者グループ加入情報を取得するようにさらに構成された通信コントローラとを備え、
前記限定加入者グループ加入情報は、前記アクセス端末がアクセスすることを許可される少なくとも１つの限定加入者グループを識別し、
前記アクセスコントローラが、前記限定加入者グループ加入情報に基づいて、前記要求された通信を制御するようにさらに構成された
通信のための装置。
［１２］
前記サーバが、前記第１のネットワークにおける訪問アクセス端末についての限定加入者グループ加入情報を記憶する限定加入者グループ加入者サーバを備える、［１１］に記載の装置。
［１３］
前記サービスコンテキスト情報が前記第２のネットワークのホーム加入者サーバから取得される、［１１］に記載の装置。
［１４］
前記第１のネットワークが前記アクセス端末の訪問先パブリックランドモバイルネットワークを備え、
前記第２のネットワークが前記アクセス端末のホームパブリックランドモバイルネットワークを備える
［１１］に記載の装置。
［１５］
第１のネットワークにおいて通信を確立することを要求しているアクセス端末が第２のネットワークに加入していると判定するための手段と、
前記第２のネットワークから前記アクセス端末のサービスコンテキスト情報を取得するための手段と、
前記第１のネットワーク中のサーバから、前記アクセス端末がアクセスすることを許可される少なくとも１つの限定加入者グループを識別する、前記アクセス端末の限定加入者グループ加入情報を取得するための手段と、
前記限定加入者グループ加入情報に基づいて、前記要求された通信を制御するための手段と
を備える、通信のための装置。
［１６］
前記サーバが、前記第１のネットワークにおける訪問アクセス端末についての限定加入者グループ加入情報を記憶する限定加入者グループ加入者サーバを備える、［１５］に記載の装置。
［１７］
前記サービスコンテキスト情報が前記第２のネットワークのホーム加入者サーバから取得される、［１５］に記載の装置。
［１８］
前記第１のネットワークが前記アクセス端末の訪問先パブリックランドモバイルネットワークを備え、
前記第２のネットワークが前記アクセス端末のホームパブリックランドモバイルネットワークを備える
［１５］に記載の装置。
［１９］
第１のネットワークにおいて通信を確立することを要求しているアクセス端末が第２のネットワークに加入していると判定することと、
前記第２のネットワークから前記アクセス端末のサービスコンテキスト情報を取得することと、
前記第１のネットワーク中のサーバから、前記アクセス端末がアクセスすることを許可される少なくとも１つの限定加入者グループを識別する、前記アクセス端末の限定加入者グループ加入情報を取得することと、
前記限定加入者グループ加入情報に基づいて、前記要求された通信を制御することと  をコンピュータに行わせるためのコードを備えるコンピュータ可読媒体
を備えるコンピュータプログラム製品。
［２０］
前記サーバが、前記第１のネットワークにおける訪問アクセス端末についての限定加入者グループ加入情報を記憶する限定加入者グループ加入者サーバを備える、［１９］に記載のコンピュータプログラム製品。
［２１］
前記サービスコンテキスト情報が前記第２のネットワークのホーム加入者サーバから取得される、［１９］に記載のコンピュータプログラム製品。
［２２］
前記第１のネットワークが前記アクセス端末の訪問先パブリックランドモバイルネットワークを備え、
前記第２のネットワークが前記アクセス端末のホームパブリックランドモバイルネットワークを備える
［１９］に記載のコンピュータプログラム製品。
［２３］
事業者リストがワイヤレス事業者によって更新可能であるように、アクセス端末において前記事業者リストを維持することと、
ユーザリストが前記アクセス端末によって更新可能であるように、前記アクセス端末において前記ユーザリストを維持することと、
前記事業者リストおよび前記ユーザリストのうちの第１のリストから限定加入者グループ識別子を削除することと、
前記第１のリストからの前記削除に基づいて、前記事業者リストおよび前記ユーザリストのうちの第２のリストから前記限定加入者グループ識別子を削除することと
を備える、通信の方法。
［２４］
限定加入者グループに関連付けられたセルの試みられたアクセスに応答して拒否コードを受信したことの結果として、前記限定加入者グループ識別子が前記第１のリストから削除される、［２３］に記載の方法。
［２５］
前記第１のリストのプロビジョニングの結果として、前記限定加入者グループ識別子が前記第１のリストから削除される、［２３］に記載の方法。
［２６］
限定加入者グループリストサーバから受信されたメッセージに応答して、前記限定加入者グループ識別子が前記第１のリストから削除される、［２３］に記載の方法。
［２７］
前記第２のリストから前記限定加入者グループ識別子のエントリを消去することによって、前記限定加入者グループ識別子が前記第２のリストから削除される、［２３］に記載の方法。
［２８］
前記限定加入者グループ識別子が前記第１のリストから削除されたことの結果として、前記第２のリストのプロビジョニングが要求され、
前記第２のリストの前記プロビジョニングの結果として、前記限定加入者グループ識別子が前記第２のリストから削除される
［２３］に記載の方法。
［２９］
前記第１のリストおよび前記第２のリストはそれぞれ、前記アクセス端末がアクセスすることを許可される少なくとも１つの限定加入者グループを識別する、［２３］に記載の方法。
［３０］
前記ユーザリストを前記維持することが、前記アクセス端末による手動更新を含む、［２３］に記載の方法。
［３１］
前記ユーザリストが、前記ワイヤレス事業者によって更新可能であるようにさらに維持される、［２３］に記載の方法。
［３２］
前記事業者リストが、前記アクセス端末によって更新可能であるようにさらに維持される、［２３］に記載の方法。
［３３］
限定加入者グループに関連付けられたセルにアクセスすべきかどうかを判定するために、前記事業者リストと前記ユーザリストとからなるグループのうちの少なくとも１つを使用することをさらに備える、［２３］に記載の方法。
［３４］
前記事業者リストが、前記アクセス端末のホームパブリックランドモバイルネットワークについての限定加入者グループ情報を備え、
前記ユーザリストが、前記アクセス端末の訪問先パブリックランドモバイルネットワークについての限定加入者グループ情報を備える
［２３］に記載の方法。
［３５］
前記アクセス端末による前記ユーザリストの更新が、ユーザ入力デバイスから受信された指示に基づいて前記ユーザリストを更新することを備える、［２３］に記載の方法。
［３６］
事業者リストがワイヤレス事業者によって更新可能であるように、アクセス端末において前記事業者リストを維持するように構成され、ユーザリストが前記アクセス端末によって更新可能であるように、前記アクセス端末において前記ユーザリストを維持するようにさらに構成されたデータベースと、
前記事業者リストおよび前記ユーザリストのうちの第１のリストから限定加入者グループ識別子を削除するように構成され、前記第１のリストからの前記削除に基づいて、前記事業者リストおよび前記ユーザリストのうちの第２のリストから前記限定加入者グループ識別子を削除するようにさらに構成されたリストマネージャと
を備える、通信のための装置。
［３７］
限定加入者グループに関連付けられたセルの試みられたアクセスに応答して拒否コードを受信したことの結果として、前記限定加入者グループ識別子が前記第１のリストから削除される、［３６］に記載の装置。
［３８］
前記第１のリストのプロビジョニングの結果として、前記限定加入者グループ識別子が前記第１のリストから削除される、［３６］に記載の装置。
［３９］
前記限定加入者グループ識別子が前記第１のリストから削除されたことの結果として、前記第２のリストのプロビジョニングが要求され、
前記第２のリストの前記プロビジョニングの結果として、前記限定加入者グループ識別子が前記第２のリストから削除される
［３６］に記載の装置。
［４０］
前記ユーザリストを前記維持することが、前記アクセス端末による手動更新を含む、［３６］に記載の装置。
［４１］
事業者リストがワイヤレス事業者によって更新可能であるように、アクセス端末において前記事業者リストを維持するための手段と、
ユーザリストが前記アクセス端末によって更新可能であるように、前記アクセス端末において前記ユーザリストを維持するための手段と、
前記事業者リストおよび前記ユーザリストのうちの第１のリストから限定加入者グループ識別子を削除するための手段と、
前記第１のリストからの前記削除に基づいて、前記事業者リストおよび前記ユーザリストのうちの第２のリストから前記限定加入者グループ識別子を削除するための手段と
を備える、通信のための装置。
［４２］
限定加入者グループに関連付けられたセルの試みられたアクセスに応答して拒否コードを受信したことの結果として、前記限定加入者グループ識別子が前記第１のリストから削除される、［４１］に記載の装置。
［４３］
前記第１のリストのプロビジョニングの結果として、前記限定加入者グループ識別子が前記第１のリストから削除される、［４１］に記載の装置。
［４４］
前記限定加入者グループ識別子が前記第１のリストから削除されたことの結果として、前記第２のリストのプロビジョニングが要求され、
前記第２のリストの前記プロビジョニングの結果として、前記限定加入者グループ識別子が前記第２のリストから削除される
［４１］に記載の装置。
［４５］
前記ユーザリストを前記維持することが、前記アクセス端末による手動更新を含む、［４１］に記載の装置。
［４６］
事業者リストがワイヤレス事業者によって更新可能であるように、アクセス端末において前記事業者リストを維持することと、
ユーザリストが前記アクセス端末によって更新可能であるように、前記アクセス端末において前記ユーザリストを維持することと、
前記事業者リストおよび前記ユーザリストのうちの第１のリストから限定加入者グループ識別子を削除することと、
前記第１のリストからの前記削除に基づいて、前記事業者リストおよび前記ユーザリストのうちの第２のリストから前記限定加入者グループ識別子を削除することと
をコンピュータに行わせるためのコードを備えるコンピュータ可読媒体
を備えるコンピュータプログラム製品。
［４７］
限定加入者グループに関連付けられたセルの試みられたアクセスに応答して拒否コードを受信したことの結果として、前記限定加入者グループ識別子が前記第１のリストから削除される、［４６］に記載のコンピュータプログラム製品。
［４８］
前記第１のリストのプロビジョニングの結果として、前記限定加入者グループ識別子が前記第１のリストから削除される、［４６］に記載のコンピュータプログラム製品。
［４９］
前記限定加入者グループ識別子が前記第１のリストから削除されたことの結果として、前記第２のリストのプロビジョニングが要求され、
前記第２のリストの前記プロビジョニングの結果として、前記限定加入者グループ識別子が前記第２のリストから削除される
［４６］に記載のコンピュータプログラム製品。
［５０］
前記ユーザリストを前記維持することが、前記アクセス端末による手動更新を含む、［４６］に記載のコンピュータプログラム製品。
［５１］
第１のリストがワイヤレス事業者によって更新可能であるように、アクセス端末において前記第１のリストを維持することと、
第２のリストが前記アクセス端末によって更新可能であるように、前記アクセス端末において前記第２のリストを維持することと、
限定加入者グループ識別子を前記第１のリストに追加することと、
前記第１のリストへの前記追加に基づいて、前記第２のリストから前記限定加入者グループ識別子を削除することと
を備える、通信の方法。
［５２］
前記第１のリストのプロビジョニングの結果として、前記限定加入者グループ識別子が前記第１のリストに追加される、［５１］に記載の方法。
［５３］
限定加入者グループリストサーバから受信されたメッセージに応答して、前記限定加入者グループ識別子が前記第１のリストに追加される、［５１］に記載の方法。
［５４］
前記第２のリストから前記限定加入者グループ識別子のエントリを消去することによって、前記限定加入者グループ識別子が前記第２のリストから削除される、［５１］に記載の方法。
［５５］
前記限定加入者グループ識別子が前記第１のリストに追加されたことの結果として、前記第２のリストのプロビジョニングが要求され、
前記第２のリストの前記プロビジョニングの結果として、前記限定加入者グループ識別子が前記第２のリストから削除される
［５１］に記載の方法。
［５６］
前記第１のリストおよび前記第２のリストはそれぞれ、前記アクセス端末がアクセスすることを許可される少なくとも１つの限定加入者グループを識別する、［５１］に記載の方法。
［５７］
前記第２のリストを前記維持することが、前記アクセス端末による手動更新を含む、［５１］に記載の方法。
［５８］
前記第２のリストが、前記ワイヤレス事業者によって更新可能であるようにさらに維持される、［５１］に記載の方法。
［５９］
前記第１のリストが、前記アクセス端末によって更新可能であるようにさらに維持される、［５１］に記載の方法。
［６０］
限定加入者グループに関連付けられたセルにアクセスすべきかどうかを判定するために、前記第１のリストと前記第２のリストとからなるグループのうちの少なくとも１つを使用することをさらに備える、［５１］に記載の方法。
［６１］
前記事業者リストが、前記アクセス端末のホームパブリックランドモバイルネットワークについての限定加入者グループ情報を備え、
前記ユーザリストが、前記アクセス端末の訪問先パブリックランドモバイルネットワークについての限定加入者グループ情報を備える
［５１］に記載の方法。
［６２］
前記アクセス端末による前記ユーザリストの更新が、ユーザ入力デバイスから受信された指示に基づいて前記ユーザリストを更新することを備える、［５１］に記載の方法。
［６３］
第１のリストがワイヤレス事業者によって更新可能であるように、アクセス端末において前記第１のリストを維持するように構成され、第２のリストが前記アクセス端末によって更新可能であるように、前記アクセス端末において前記第２のリストを維持するようにさらに構成されたデータベースと、
限定加入者グループ識別子を前記第１のリストに追加するように構成され、前記第１のリストへの前記追加に基づいて、前記第２のリストから前記限定加入者グループ識別子を削除するようにさらに構成されたリストマネージャと
を備える、通信のための装置。
［６４］
前記第１のリストのプロビジョニングの結果として、前記限定加入者グループ識別子が前記第１のリストに追加される、［６３］に記載の装置。
［６５］
前記限定加入者グループ識別子が前記第１のリストに追加されたことの結果として、前記第２のリストのプロビジョニングが要求され、
前記第２のリストの前記プロビジョニングの結果として、前記限定加入者グループ識別子が前記第２のリストから削除される
［６３］に記載の装置。
［６６］
前記第２のリストを前記維持することが、前記アクセス端末による手動更新を含む、［６３］に記載の装置。
［６７］
第１のリストがワイヤレス事業者によって更新可能であるように、アクセス端末において前記第１のリストを維持するための手段と、
第２のリストが前記アクセス端末によって更新可能であるように、前記アクセス端末において前記第２のリストを維持するための手段と、
限定加入者グループ識別子を前記第１のリストに追加するための手段と、
前記第１のリストへの前記追加に基づいて、前記第２のリストから前記限定加入者グループ識別子を削除するための手段と
を備える、通信のための装置。
［６８］
前記第１のリストのプロビジョニングの結果として、前記限定加入者グループ識別子が前記第１のリストに追加される、［６７］に記載の装置。
［６９］
前記限定加入者グループ識別子が前記第１のリストに追加されたことの結果として、前記第２のリストのプロビジョニングが要求され、
前記第２のリストの前記プロビジョニングの結果として、前記限定加入者グループ識別子が前記第２のリストから削除される
［６７］に記載の装置。
［７０］
前記第２のリストを前記維持することが、前記アクセス端末による手動更新を含む、［６７］に記載の装置。
［７１］
第１のリストがワイヤレス事業者によって更新可能であるように、アクセス端末において前記第１のリストを維持することと、
第２のリストが前記アクセス端末によって更新可能であるように、前記アクセス端末において前記第２のリストを維持することと、
限定加入者グループ識別子を前記第１のリストに追加することと、
前記第１のリストへの前記追加に基づいて、前記第２のリストから前記限定加入者グループ識別子を削除することと
をコンピュータに行わせるためのコードを備えるコンピュータ可読媒体
を備えるコンピュータプログラム製品。
［７２］
前記第１のリストのプロビジョニングの結果として、前記限定加入者グループ識別子が前記第１のリストに追加される、［７１］に記載のコンピュータプログラム製品。
［７３］
前記限定加入者グループ識別子が前記第１のリストに追加されたことの結果として、前記第２のリストのプロビジョニングが要求され、
前記第２のリストの前記プロビジョニングの結果として、前記限定加入者グループ識別子が前記第２のリストから削除される
［７１］に記載のコンピュータプログラム製品。
［７４］
前記第２のリストを前記維持することが、前記アクセス端末による手動更新を含む、［７１］に記載のコンピュータプログラム製品。
【図１】
0005199486.tif 000002
【図２】
0005199486.tif 000003
【図３】
0005199486.tif 000004
【図４】
0005199486.tif 000005
【図５】
0005199486.tif 000006
【図６】
0005199486.tif 000007
【図７】
0005199486.tif 000008
【図８】
0005199486.tif 000009
【図９】
0005199486.tif 000010
【図１０】
0005199486.tif 000011
【図１１】
0005199486.tif 000012
【図１２】
0005199486.tif 000013
【図１３】
0005199486.tif 000014